(57)【要約】      （修正有）【課題】  簡単に、かつ任意に、形態、形状を変更できるデザイン的に優れ包装用袋を提供する。【解決手段】  底部と、前面胴部と、後面胴部と、左側面胴部と、右側面胴部とを有し、当該前面胴部の頂端側と、後面胴部の頂端側と、左側面胴部の頂端側と、右側面胴部の頂端側とによって前記底部に対向する天部に前記底部に対して平行に形成される開口部が、前後方向に狭められて閉鎖され、又は前後方向に拡げられて開放されることが可能であると共に、前記底部の左右方向の長さを変えることなく、前記開口部の左右方向の長さを、前記底部の左右方向の長さと同一の状態から、当該左右方向の長さが短くなって前記開口部が左右方向において狭められた状態に変更されること及び、前記左右方向の長さが前記開口部が左右方向において狭められた短くなっている前記の状態から、前記底部の左右方向の長さと同一の状態に変更されることが可能な包装用袋。【選択図】        図７
2006298412.tif 000002
【特許請求の範囲】
【請求項１】
底部と、前面胴部と、後面胴部と、左側面胴部と、右側面胴部とを有し、当該前面胴部の頂端側と、後面胴部の頂端側と、左側面胴部の頂端側と、右側面胴部の頂端側とによって前記底部に対向する天部に前記底部に対して平行に形成される開口部が、前後方向に狭められて閉鎖され、又は前後方向に拡げられて開放されることが可能であると共に、前記底部の左右方向の長さを変えることなく、前記開口部の左右方向の長さを、前記底部の左右方向の長さと同一の状態から、当該左右方向の長さが短くなって前記開口部が左右方向において狭められた状態に変更されること及び、前記左右方向の長さが前記開口部が左右方向において狭められた短くなっている前記の状態から、前記底部の左右方向の長さと同一の状態に変更されることが可能な包装用袋。
【請求項２】
底部と、前面胴部と、後面胴部と、左側面胴部と、右側面胴部とを有し、当該前面胴部の頂端側と、後面胴部の頂端側と、左側面胴部の頂端側と、右側面胴部の頂端側とによって前記底部に対向する天部に前記底部に対して平行に形成される開口部が、前後方向に狭められて閉鎖され、又は前後方向に拡げられて開放されることが可能であると共に、前記底部の左右方向の長さを変えることなしに、前記開口部の左右方向の長さを、前記底部の左右方向の長さと同一の状態から、当該左右方向の長さが短くなって前記開口部が左右方向において狭められた状態に変更されること及び、前記左右方向の長さが前記開口部が左右方向において狭められた短くなっている前記の状態から、前記底部の左右方向の長さと同一の状態に変更されることが可能な包装用袋であって、
該包装用袋は、第一のシート部材と第二のシート部材とをその構成部材とし、
第一のシート部材は、方形状の第一のシート体と、該第一のシート体の対向する一組の辺をそれぞれ下底辺とし該下底辺よりも短い辺を上底辺としてそれぞれ該第一のシート体の対向する一組の辺から延設される一対の台形状の胴部シート体と、該胴部シート体の前記上底辺を上底辺として更にそれぞれ延設され下底辺が当該胴部シート体の前記上底辺からなる上底辺より長い台形状の補強シート体とを備え、前記各胴部シート体の左右の斜辺部に第一の折れ線部を介してそれぞれ第一の係止片部を有し、
第二のシート部材は、前記方形状の第一のシート体と等しい大きさの方形状の第二のシート体と、当該第二のシート部材の第二のシート体と前記第一のシート部材の第一のシート体とが重ね合わされた際に、前記第一のシート体の対向する一組の辺に直交する位置になる第二のシート体の対向する一組の辺をその基端の一辺としてそれぞれ当該第二のシート体の対向する一組の辺から延設され、少なくとも、その延びる長手方向の長さが、前記第一のシート部材の台形状の胴部シート体が延びる長手方向の長さに対応している側面胴部シート体と、
当該第二のシート部材の第二のシート体と前記第一のシート部材の第一のシート体とが重ね合わされた際に、前記第一のシート体の対向する一組の辺に直交する位置になる第二のシート体の対向する一組の辺のそれぞれの両端から各辺に直交して延びる第二の折り線部を介して、前記側面胴部シート体の両側外方向に延設されるスライド片部を有し、当該スライド片部は、前記第二のシート体の対向する一組の辺のそれぞれの両端の位置からそれぞれ前記第二のシート体の対向する一組の辺に対して斜交して、前記側面胴部シート体が延びる方向で、当該側面胴部シート体の両側外方向に延びる辺を有すると共に、当該スライド片部の外方向端側に、第三の折れ線部を介して第二の係止片部を有し、
第２のシート部材の前記側面胴部シート体には、第二のシート部材の第二のシート体と前記第一のシート部材の第一のシート体とが重ね合わされた際に、前記第一のシート体の対向する一組の辺に直交する位置になる第二のシート体の対向する一組の辺のそれぞれの中央部から当該第二のシート体の対向する一組の辺に直交して前記側面胴部シート体が延びる方向に延びる第四の折り線部が形成されており、
第一のシート部材の前記方形状の第一のシート体と、第二のシート部材の前記方形状の第二のシート体とを重ね合わせて前記包装用袋の前記底部を形成し、
第一のシート部材のそれぞれの前記台形状の胴部シート体をその下底辺を折線部として折曲て起立させて前記底部を挟んで互いに対向する前記正面胴部と前記背面胴部とを形成し、さらに前記第一の係止片部を前記第一の折れ線部で、前記対向する正面胴部と背面胴部とによって囲まれる内部空間領域の側に向けて折り曲げると共に、前記補強シート体をその上底辺を折線部として前記内部空間領域の側に向けて折り曲げ、前記折り曲げられている第一の係止片部を挟んで前記正面胴部又は前記背面胴部にそれぞれ重ね、
第２のシート部材の前記側面胴部シート体をそれぞれの前記基端にあたる一辺を折線部として前記内部空間領域の側に向けて起立させて前記底部を挟んで互いに対向する前記左側面胴部と右側面胴部とを形成し、
前記第二のシート部材のスライド片部を前記第二の折り線部を介して前記内部空間領域の側に向けて折り曲げ、前記第二の係止片部を前記第三の折り線部を介して前記内部空間領域と反対の側に向けて折り曲げ、
内部に第一の係止片部が存在するようにして折り畳まれている前記補強シート体と前記正面胴部又は前記背面胴部との間に、前記スライド片部を挿入すると共に、前記第一の係止片部と第二の係止片部とを係止し、
第一のシート部材の前記台形状の胴部シート体からなる前記正面胴部と前記背面胴部とが、それぞれの下底辺を中心として、前記側面胴部シート体の第二の折り線部とともに前後方向に回動することにより、前記第四の折り線部が前記内部空間領域の側に向けて折り曲がると、前記側面胴部シート体における前記第四の折り線部を挟んだ両側が当該第四の折り線部が前記内部空間領域の側に向けて折り曲げられる際のひだ部となり、前記開口部が前後方向に狭められて閉鎖され、前記第四の折り線部が前記内部空間領域の側に向けて折り曲げられている状態から折り曲げられていない状態に復帰すると、前記開口部が前後方向に拡げられて開放され、
前記第二のシート部材の側面胴部シート体が、第二のシート体と前記第一のシート部材の第一のシート体とが重ね合わされた際に、前記第一のシート体の対向する一組の辺に直交する位置になる第二のシート体の対向する一組の辺を中心として左右方向に回動することにより、前記スライド片部が、当該側面胴部シート体と共に第二のシート体の対向する一組の辺を中心として左右方向に回動し、内部に第一の係止片部が存在するようにして折り畳まれている前記補強シート体と前記正面胴部又は前記背面胴部との間を出没して、前記底部の左右方向の長さを変えることなく、前記開口部の左右方向の長さを、前記底部の左右方向の長さと同一の状態から、当該左右方向の長さが短くなって前記開口部が左右方向において狭められた状態に変更されること及び、前記左右方向の長さが前記開口部が左右方向において狭められた短くなっている前記の状態から、前記底部の左右方向の長さと同一の状態に変更されることが可能な包装用袋。
【請求項３】
第一の係止片部と第二の係止片部とが係合することで開口部の左右方向の長さが前記開口部が左右方向において狭められた短くなっている状態から、前記底部の左右方向の長さと同一の状態にまで変更されたときの左右方向の開きが規制されることを特徴とする請求項２記載の包装用袋。
【請求項４】
前記補強シート体の端部と前記左側面胴部及び前記右側面胴部とが当接する及び／又は第二のシート部材の前記スライド片部が備えている前記第二のシート体の対向する一組の辺のそれぞれの両端の位置からそれぞれ前記第二のシート体の対向する一組の辺に対して斜交して、前記側面胴部シート体が延びる方向で、当該側面胴部シート体の両側外方向に延びる辺と、第一のシート部材のそれぞれの前記台形状の胴部シート体の下底辺とが当接することで、前記開口部の左右方向の長さが、前記底部の左右方向の長さと同一の状態から、当該左右方向の長さが短くなって前記開口部が左右方向において狭められた状態に変更されるときの前記開口部の左右方向の閉じが規制されることを特徴とする請求項２又は３記載の包装用袋。
【請求項５】
前記正面胴部と前記補強シート体及び前記背面胴部と前記補強シート体とを挿通した第一の孔と、前記左側面胴部及び前記右側面胴部を挿通した第二の孔とを前記開口部上側に少なくとも２以上設け、第一の孔と第二の孔に手提げ用の紐を通すと共に、前記第二の孔に係止する係止具を前記紐の端部に設けたことを特徴とする請求項２乃至４のいずれか一項に記載の包装用袋。
【請求項６】
第一のシート部材のどちらか一方の胴部シート体に一辺を残した切込みを入れて差込片を形成すると共に、他方の胴部シート体に前記差込片を差し込むための切り口を形成し、前記一辺を軸に前記差込片を回動させ前記切り口に差し込んで前記開口部の閉止具とすることを特徴とする請求項項２乃至５のいずれか一項に記載の包装用袋。
【発明の詳細な説明】
【技術分野】
【０００１】
本発明は、紙、厚紙、合成樹脂、皮、皮革などからなるシート体（すなわち、板状体）からなる包装用袋に関する。特に、底部と、前面胴部と、後面胴部と、左側面胴部と、右側面胴部とを有し、当該前面胴部の頂端側と、後面胴部の頂端側と、左側面胴部の頂端側と、右側面胴部の頂端側とによって前記底部に対向する天部に前記底部に対して平行に形成される開口部が、前後方向に狭められて閉鎖され、又は前後方向に拡げられて開放されることが可能であると共に、前記底部の左右方向の長さを変えることなしに、前記開口部の左右方向の長さを、前記底部の左右方向の長さと同一の状態から、当該左右方向の長さが短くなって前記開口部が左右方向において狭められた状態に変更されること及び、前記左右方向の長さが前記開口部が左右方向において狭められた短くなっている前記の状態から、前記底部の左右方向の長さと同一の状態に変更されることが可能な包装用袋に関する。
【背景技術】
【０００２】
買物品や贈答品を入れるための紙袋は、一般的に、角筒状体、あるいは筒状体からなり、この角筒状体、あるいは筒状体の胴体部の一端が閉塞され、他端が開放された開口部になっている。そして、一般的に、非使用時においては扁平状に折り畳み可能となっている。また、使用時には、前面胴部と、後面胴部と、左側面胴部と、右側面胴部とからなる胴体部のうち左側面胴部と、右側面胴部に折り込まれるように形成されるひだを広げることで開口部を前後方向（前面胴部の側と、後面胴部の側）に拡大（開放）して開口部を開放するようになっている。
【０００３】
この用に、開口部が閉鎖され、或いは開放される方向は、前面胴部、後面胴部が存在している前後方向になるのが一般的であった。
【０００４】
すなわち、前面胴部、後面胴部のそれぞれの両側縁に左側面胴部と、右側面胴部とが延設され、前面胴部、後面胴部、左側面胴部、右側面胴部の全体から胴体部が形成されているときに、前記底部の左右方向の長さを変えることなしに、前記開口部の左右方向の長さを、前記底部の左右方向の長さと同一の状態から、当該左右方向の長さが短くなって前記開口部が左右方向において狭められた状態に変更されること及び、前記左右方向の長さが前記開口部が左右方向において狭められた短くなっている前記の状態から、前記底部の左右方向の長さと同一の状態に変更されることが可能な包装用袋は、これまで提案されていなかった。
【０００５】
上記の点に対して、紙製の袋でありながら、布製の巾着のように天部の開口部を紐で絞って閉じることができる巾着様手提げ袋が開示されている（例えば、特許文献１参照）。
【特許文献１】特開平１１−１７１２１０号公報  この紙製の巾着様手提げ袋は、角底部を有する袋本体の前後左右胴部の各稜縁部を内方に折り込んで逆三角形状のひだを形成したもので、開口部周囲の各上辺部に紐通し用の孔をあけ、この孔に絞り兼用の手提げ紐を挿通してなるものである。
【０００６】
この紐を引くことで、開口部はひだの重なる方向と、これに直交するひだが折り込まれた方向とに閉じられ、まさに巾着様に閉じられる。
【発明の開示】
【発明が解決しようとする課題】
【０００７】
しかしながら、特開平１１−１７１２１０号公報に提案されている巾着様手提げ袋は、天部開口部を紐で絞って閉じるため、絞り紐が不可欠となり、そのため紐なしの袋には適用できない。また紐挿通用の孔と紐との間に摩擦が生じ、開閉が迅速に行えず、また紐との摩擦により孔が破損する場合も生じる。
【０００８】
なによりも、この、特開平１１−１７１２１０号公報に提案されている巾着様手提げ袋では、底部と、前面胴部と、後面胴部と、左側面胴部と、右側面胴部とを有し、当該前面胴部の頂端側と、後面胴部の頂端側と、左側面胴部の頂端側と、右側面胴部の頂端側とによって前記底部に対向する天部に前記底部に対して平行に形成される開口部が、前後方向に狭められて閉鎖され、又は前後方向に拡げられて開放されることが可能であると共に、前記底部の左右方向の長さを変えることなしに、前記開口部の左右方向の長さを、前記底部の左右方向の長さと同一の状態から、当該左右方向の長さが短くなって前記開口部が左右方向において狭められた状態に変更されること及び、前記左右方向の長さが前記開口部が左右方向において狭められた短くなっている前記の状態から、前記底部の左右方向の長さと同一の状態に変更することはできなかった。
【０００９】
本発明は、底部と、前面胴部と、後面胴部と、左側面胴部と、右側面胴部とを有し、当該前面胴部の頂端側と、後面胴部の頂端側と、左側面胴部の頂端側と、右側面胴部の頂端側とによって前記底部に対向する天部に前記底部に対して平行に形成される開口部が、前後方向に狭められて閉鎖され、又は前後方向に拡げられて開放されることが可能であると共に、前記底部の左右方向の長さを変えることなしに、前記開口部の左右方向の長さを、前記底部の左右方向の長さと同一の状態から、当該左右方向の長さが短くなって前記開口部が左右方向において狭められた状態に変更されること及び、前記左右方向の長さが前記開口部が左右方向において狭められた短くなっている前記の状態から、前記底部の左右方向の長さと同一の状態に変更することのできる包装用袋を提案することを目的にしている。
【課題を解決するための手段】
【００１０】
上記課題を解決するために、本発明は、底部と、前面胴部と、後面胴部と、左側面胴部と、右側面胴部とを有し、当該前面胴部の頂端側と、後面胴部の頂端側と、左側面胴部の頂端側と、右側面胴部の頂端側とによって前記底部に対向する天部に前記底部に対して平行に形成される開口部が、前後方向（図７の矢印７１、７２方向）に狭められて閉鎖され、又は前後方向（図７の矢印７３、７４方向）に拡げられて開放されることが可能であると共に、前記底部の左右方向の長さを変えることなく、前記開口部の左右方向の長さを、図７図示のように、前記底部の左右方向の長さと同一の状態から、図８図示のように、当該左右方向の長さが短くなって前記開口部が左右方向において狭められた状態に変更されること及び、前記左右方向の長さが前記開口部が左右方向において狭められた短くなっている前記の図８図示の状態から、図７図示の前記底部の左右方向の長さと同一の状態に変更されることが可能な包装用袋を提案するものである。
【００１１】
本発明が提案する前記の包装用袋は、具体的には、以下に述べる形態をしている。
【００１２】
まず、本発明の包装用袋は、底部と、前面胴部と、後面胴部と、左側面胴部と、右側面胴部とを有し、当該前面胴部の頂端側と、後面胴部の頂端側と、左側面胴部の頂端側と、右側面胴部の頂端側とによって前記底部に対向する天部に前記底部に対して平行に形成される開口部が、前後方向（図７の矢印７１、７２方向）に狭められて閉鎖され、又は前後方向（図７の矢印７３、７４方向）に拡げられて開放されることが可能であると共に、前記底部の左右方向の長さを変えることなしに、前記開口部の左右方向の長さを、図７図示のように前記底部の左右方向の長さと同一の状態から、図８図示のように当該左右方向の長さが短くなって前記開口部が左右方向において狭められた状態に変更されること及び、前記左右方向の長さが前記開口部が左右方向において狭められた短くなっている前記の図８図示の状態から、図７図示のように前記底部の左右方向の長さと同一の状態に変更されることが可能な包装用袋であって、該包装用袋は、第一のシート部材と第二のシート部材とをその構成部材としている。
【００１３】
前記の第一のシート部材は、方形状の第一のシート体と、該第一のシート体の対向する一組の辺をそれぞれ下底辺とし該下底辺よりも短い辺を上底辺としてそれぞれ該第一のシート体の対向する一組の辺から延設される一対の台形状の胴部シート体と、該胴部シート体の前記上底辺を上底辺として更にそれぞれ延設され下底辺が当該胴部シート体の前記上底辺からなる上底辺より長い台形状の補強シート体とを備え、前記各胴部シート体の左右の斜辺部に第一の折れ線部を介してそれぞれ第一の係止片部を有している。
【００１４】
前記の第二のシート部材は、前記方形状の第一のシート体と等しい大きさの方形状の第二のシート体と、当該第二のシート部材の第二のシート体と前記第一のシート部材の第一のシート体とが重ね合わされた際に、前記第一のシート体の対向する一組の辺に直交する位置になる第二のシート体の対向する一組の辺をその基端の一辺としてそれぞれ当該第二のシート体の対向する一組の辺から延設され、少なくとも、その延びる長手方向の長さが、前記第一のシート部材の台形状の胴部シート体が延びる長手方向に長さに対応している側面胴部シート体を備えている。
【００１５】
更に、前記の第二のシート部材は、当該第二のシート部材の第二のシート体と前記第一のシート部材の第一のシート体とが重ね合わされた際に、前記第一のシート体の対向する一組の辺に直交する位置になる第二のシート体の対向する一組の辺のそれぞれの両端から各辺に直交して延びる第二の折り線部を介して、前記側面胴部シート体の両側外方向に延設されるスライド片部を有し、当該スライド片部は、前記第二のシート体の対向する一組の辺のそれぞれの両端の位置からそれぞれ前記第二のシート体の対向する一組の辺に対して斜交して、前記側面胴部シート体が延びる方向で、当該側面胴部シート体の両側外方向に延びる辺を有すると共に、当該スライド片部の外方向端側に、第三の折れ線部を介して第二の係止片部を有している。
【００１６】
そして、前記の第二のシート部材において、第２のシート部材の前記側面胴部シート体には、第二のシート部材の第二のシート体と前記第一のシート部材の第一のシート体とが重ね合わされた際に、前記第一のシート体の対向する一組の辺に直交する位置になる第二のシート体の対向する一組の辺のそれぞれの中央部から当該第二のシート体の対向する一組の辺に直交して前記側面胴部シート体が延びる方向に延びる第四の折り線部が形成されている。
【００１７】
前記の第一のシート部材の前記方形状の第一のシート体と第二のシート部材の前記方形状の第二のシート体とを重ね合わせて前記包装用袋の前記底部を形成する。
【００１８】
そして、第一のシート部材のそれぞれの前記台形状の胴部シート体をその下底辺を折線部として折曲て起立させて前記底部を挟んで互いに対向する前記正面胴部と前記背面胴部とを形成し、さらに前記第一の係止片部を前記第一の折れ線部で、前記対向する正面胴部と背面胴部とによって囲まれる内部空間領域の側に向けて折り曲げると共に、前記補強シート体をその上底辺を折線部として前記内部空間領域の側に向けて折り曲げ、前記折り曲げられている第一の係止片部を挟んで前記正面胴部又は前記背面胴部にそれぞれ重ねる。
【００１９】
また、第２のシート部材の前記側面胴部シート体をそれぞれの前記基端にあたる一辺を折線部として前記内部空間領域の側に向けて起立させて前記底部を挟んで互いに対向する前記左側面胴部と右側面胴部とを形成する。
【００２０】
更に、前記第二のシート部材のスライド片部を前記第二の折り線部を介して前記内部空間領域の側に向けて折り曲げ、前記第二の係止片部を前記第三の折り線部を介して前記内部空間領域と反対の側に向けて折り曲げ、内部に第一の係止片部が存在するようにして折り畳まれている前記補強シート体と前記正面胴部又は前記背面胴部との間に、前記スライド片部を挿入すると共に、前記第一の係止片部と第二の係止片部とを係止する。
【００２１】
こうして、第一のシート部材の前記台形状の胴部シート体からなる前記正面胴部と前記背面胴部とが、それぞれの下底辺を中心として、前記側面胴部シート体の第二の折り線部とともに前後方向に回動することにより、前記第四の折り線部が前記内部空間領域の側に向けて折り曲がると、前記側面胴部シート体における前記第四の折り線部を挟んだ両側が当該第四の折り線部が前記内部空間領域の側に向けて折り曲げられる際のひだ部となり、前記開口部が前後方向に狭められて閉鎖され、前記第四の折り線部が前記内部空間領域の側に向けて折り曲げられている状態から折り曲げられていない状態に復帰すると、前記開口部が前後方向に拡げられて開放される。
【００２２】
また、前記第二のシート部材の側面胴部シート体が、第二のシート体と前記第一のシート部材の第一のシート体とが重ね合わされた際に、前記第一のシート体の対向する一組の辺に直交する位置になる第二のシート体の対向する一組の辺を中心として左右方向に回動することにより、前記スライド片部が、当該側面胴部シート体と共に第二のシート体の対向する一組の辺を中心として左右方向に回動し、内部に第一の係止片部が存在するようにして折り畳まれている前記補強シート体と前記正面胴部又は前記背面胴部との間を出没して、前記底部の左右方向の長さを変えることなく、前記開口部の左右方向の長さを、前記底部の左右方向の長さと同一の状態から、当該左右方向の長さが短くなって前記開口部が左右方向において狭められた状態に変更されること及び、前記左右方向の長さが前記開口部が左右方向において狭められた短くなっている前記の状態から、前記底部の左右方向の長さと同一の状態に変更される。
【００２３】
前記の形態の本発明の包装用袋において、第一の係止片部と第二の係止片部とが係合することで開口部の左右方向の長さが前記開口部が左右方向において狭められた短くなっている状態から、前記底部の左右方向の長さと同一の状態にまで変更されたときの左右方向の開きが規制されるようにすることができる。
【００２４】
更に、前記補強シート体の端部と前記左側面胴部及び前記右側面胴部とが当接する及び／又は第二のシート部材の前記スライド片部が備えている前記第二のシート体の対向する一組の辺のそれぞれの両端の位置からそれぞれ前記第二のシート体の対向する一組の辺に対して斜交して、前記側面胴部シート体が延びる方向で、当該側面胴部シート体の両側外方向に延びる辺と、第一のシート部材のそれぞれの前記台形状の胴部シート体の下底辺とが当接することで、前記開口部の左右方向の長さが、前記底部の左右方向の長さと同一の状態から、当該左右方向の長さが短くなって前記開口部が左右方向において狭められた状態に変更されるときの前記開口部の左右方向の閉じが規制される形態にすることができる。
【００２５】
また、前記正面胴部と前記補強シート体及び前記背面胴部と前記補強シート体とを挿通した第一の孔と、前記左側面胴部及び前記右側面胴部を挿通した第二の孔とを前記開口部上側に少なくとも２以上設け、第一の孔と第二の孔に手提げ用の紐を通すと共に、前記第二の孔に係止する係止具を前記紐の端部に設けた形態にすることができる。
【００２６】
手提げ紐を挿通すると共に、左側面胴部及び右側面胴部を挿通した第２の孔に係止する係止具を紐の端部に設けたので、手提げ紐を引くことで左側面胴部及び右側面胴部が開口部側に回動するので開口部を左右方向に狭めることができる。また手提げ紐を開口部全体にわたるように挿通していないので紐と孔との摩擦発生を極力抑えている。
【００２７】
また、第一のシート部材のどちらか一方の胴部シート体に一辺を残した切込みを入れて差込片を形成すると共に、他方の胴部シート体に前記差込片を差し込むための切り口を形成し、前記一辺を軸に前記差込片を回動させ前記切り口に差し込んで前記開口部の閉止具とする形態にすることができる。
【００２８】
このように胴部シート体の一部に切込みを入れることで、開口部の閉止具を容易に作成できる。そのため別途部材を取り付ける必要がない。
【００２９】
前記本発明の包装用袋において、第一のシート部材、第二のシート部材は、何れも、紙、厚紙、合成樹脂、皮、皮革などからなるシート体（すなわち、板状体）からなるものにすることができる。
【発明の効果】
【００３０】
本発明の包装用袋によれば、底部と、前面胴部と、後面胴部と、左側面胴部と、右側面胴部とを有し、当該前面胴部の頂端側と、後面胴部の頂端側と、左側面胴部の頂端側と、右側面胴部の頂端側とによって前記底部に対向する天部に前記底部に対して平行に形成される開口部が、前後方向に狭められて閉鎖され、又は前後方向に拡げられて開放されることが可能であると共に、前記底部の左右方向の長さを変えることなしに、前記開口部の左右方向の長さを、前記底部の左右方向の長さと同一の状態から、当該左右方向の長さが短くなって前記開口部が左右方向において狭められた状態に変更されること及び、前記左右方向の長さが前記開口部が左右方向において狭められた短くなっている前記の状態から、前記底部の左右方向の長さと同一の状態に変更することのできる包装用袋を提供することができる。
【００３１】
これによって、底部と、前面胴部と、後面胴部と、左側面胴部と、右側面胴部とを有し、当該前面胴部の頂端側と、後面胴部の頂端側と、左側面胴部の頂端側と、右側面胴部の頂端側とによって前記底部に対向する天部に前記底部に対して平行に形成される開口部を備えている包装用袋において、前面胴部と、後面胴部とによってそれぞれ形成される包装用袋の前面側、後面側の左右方向の長さ（大きさ）を、底部から開口部まで底部の左右方向の長さと同一の長さ（大きさ）になっている状態と、前記底部の左右方向の長さ（大きさ）を変えることなしに、前記開口部の左右方向の長さ（大きさ）が、当該左右方向の長さ（大きさ）が短くなって前記開口部が左右方向において狭められた状態に変更し、また逆に、前記左右方向の長さ（大きさ）が前記開口部が左右方向において狭められた短くなっている状態から、前記底部の左右方向の長さ（大きさ）と同一の状態に変更することができる。
【００３２】
これによって、本発明の包装用袋を前後方向から見たときには、方形状に、底部から開口部まで同一の左右方向の長さ（大きさ）で延びている状態と、底部の辺に対して頂部の辺の方が長さ（大きさ）が短い（小さい）台形状に、底部から開口部まで延びている状態とに、簡単に、かつ、任意に、形態、形状を変更することができる。
【００３３】
そこで、デザイン的に優れた外観・形態の包装用袋を提供することができる。
【００３４】
更に、本発明の包装用袋において、前後方向から見たとき、方形状に、底部から開口部まで同一の左右方向の長さ（大きさ）で延びている状態から、底部の辺に対して頂部の辺の方が長さ（大きさ）が短い（小さい）台形状に底部から開口部まで延びている状態に変更したときに見えなくなる部分、逆に言えば、包装用袋を前後方向から見たときに、底部の辺に対して頂部の辺の方が長さ（大きさ）が短い（小さい）台形状に底部から開口部まで延びている状態から、方形状に底部から開口部まで同一の左右方向の長さ（大きさ）で延びている状態になるときに表れてくる部分に、メッセージなどの文字や、図を表しておくことにより、このメッセージや図があるときは隠されたり、あるときは登場したりする新規な用途、形態を発揮し得る包装用袋を提供することができる。
【００３５】
また、手提げ紐を取り付ける場合でも、紐の端部にスライド部の孔と係止する係止具を設け、この紐を引くことでスライド部をスライドできるので、容易に開口部を開閉できる。
【発明を実施するための最良の形態】
【００３６】
以下本発明の包装用袋にかかる実施形態を図面を参照して説明する。
【００３７】
図１は、本発明の包装用袋の構成部材の一つである第１のシート部材１の展開図の一例である。図中の一点鎖線は折込前の折線部予想位置を示し、折込後に形成された折線部は実線で表示すると共に、同一の折込前の折線部予想位置と折込後の折線部は同じ番号が付してある。
【００３８】
図１図示のように、第一のシート部材１は、方形状の第一のシート体２と、第一のシート体２の対向する一組の辺３ａ、３ｂをそれぞれ下底辺とし、この下底辺よりも短い辺を上底辺４ａ、４ｂとしてそれぞれ第一のシート体２の対向する一組の辺３ａ、３ｂから延設される一対の台形状の胴部シート体５ａ、５ｂを備えている。
【００３９】
そして、胴部シート体５ａ、５ｂの前記上底辺４ａ、４ｂを上底辺として更にそれぞれ延設され下底辺７ａ、７ｂが胴部シート体５ａ、５ｂの上底辺からなる上底辺４ａ、４ｂより長い台形状の補強シート体６ａ、６ｂを備えている。
【００４０】
更に、前記各胴部シート体５ａ、５ｂの左右の斜辺部に第一の折れ線部８ａ、８ｂ、１０ａ、１０ｂを介してそれぞれ第一の係止片部９ａ、９ｂ、１１ａ、１１ｂを有している。
【００４１】
図２は、本発明の包装用袋の構成部材の他の一つである第二のシート部材２１の展開図の一例である。図中の一点鎖線は折込前の折線部予想位置を示し、折込後に形成された折線部は実線で表示すると共に、同一の折込前の折線部予想位置と折込後の折線部は同じ番号が付してある。
【００４２】
図２図示のように、第二のシート部材２１は、方形状の第一のシート体２と等しい大きさの方形状の第二のシート体２２と、当該第二のシート部材２１の第二のシート体２２と第一のシート部材１の第一のシート体２とが、図５図示のように、重ね合わされた際に、第一のシート体２の対向する一組の辺３ａ、３ｂに直交する位置になる第二のシート体２２の対向する一組の辺２５ａ、２５ｂをその基端の一辺としてそれぞれ第二のシート体２２の対向する一組の辺２５ａ、２５ｂから延設され、少なくとも、その延びる長手方向の長さが、第一のシート部材１の台形状の胴部シート体５ａ、５ｂが延びる長手方向の長さに対応している側面胴部シート体３６ａ、３６ｂを備えている。
【００４３】
ここで、側面胴部シート体３６ａ、３６ｂの長手方向の長さが、少なくとも、前記第一のシート部材１の台形状の胴部シート体５ａ、５ｂが延びる長手方向の長さに対応している、とは、側面胴部シート体３６ａ、３６ｂの長手方向の長さが、第一のシート部材１の台形状の胴部シート体５ａ、５ｂが延びる長手方向の長さにほぼ等しく、若干短いものであることをいう。
【００４４】
第二のシート部材２１は、第二のシート部材２１の第二のシート体２２と第一のシート部材１の第一のシート体２とが、図５図示のように、重ね合わされた際に、第一のシート体２の対向する一組の辺３ａ、３ｂに直交する位置になる第二のシート体２２の対向する一組の辺２５ａ、２５ｂのそれぞれの両端から各辺２５ａ、２５ｂに直交して延びる第二の折り線部３７ａ、３７ｂ、３８ａ、３８ｂを介して、前記側面胴部シート体３６ａ、３６ｂの両側外方向に延設されるスライド片部４０ａ、４０ｂ、４１ａ、４１ｂを有する。
【００４５】
このスライド片部４０ａ、４０ｂ、４１ａ、４１ｂは、第二のシート体２２の対向する一組の辺２５ａ、２５ｂのそれぞれの両端の位置からそれぞれ第二のシート体２２の対向する一組の辺２５ａ、２５ｂに対して斜交して、側面胴部シート体３６ａ、３６ｂが延びる方向で、側面胴部シート体３６ａ、３６ｂの両側外方向に延びる辺４０ｃ、４０ｄ、４１ｃ、４１ｄを有する。
【００４６】
更に、スライド片部４０ａ、４０ｂ、４１ａ、４１ｂの外方向端側に、第三の折れ線部２９ａ、２９ｂ、３０ａ、３０ｂを介して第二の係止片部３１ａ、３１ｂ、３２ａ、３２ｂを有している。
【００４７】
第二のシート部材２１において、第二のシート部材２１の側面胴部シート体３６ａ、３６ｂには、第二のシート部材２１の第二のシート体２２と第一のシート部材１の第一のシート体２とが重ね合わされた際に、第一のシート体２の対向する一組の辺３ａ、３ｂに直交する位置になる第二のシート体２２の対向する一組の辺２５ａ、２５ｂのそれぞれの中央部から第二のシート体２２の対向する一組の辺２５ａ、２５ｂに直交して側面胴部シート体３６ａ、３６ｂが延びる方向に延びる第四の折り線部３５ａ、３５ｂが形成されている。
【００４８】
なお、側面胴部シート体３６ａ、３６ｂの下部に、図２図示のように、第四の折り線部３５ａ、３５ｂに頂点が位置し、シート体２２との境界である辺２５ａ、２５ｂを底辺とする三角形状の折込を設けてある。この三角形状の折込を設けてあるのは、後述する、開口部が前後方向に閉鎖、開放される際の第四の折り線部３５ａ、３５ｂの移動及び、包装用袋を扁平な状態にする際の閉じ込みを可能とするためである。
【００４９】
前述した第一のシート部材１、第二のシート部材２１は、何れも、紙、厚紙、合成樹脂、皮、皮革などからなるシート体（すなわち、板状体）からなるものにできる。
【００５０】
以上のように図１、図２を用いて説明した第一のシート部材１と第二のシート部材２１とからなる本発明の包装用袋は次のようにして形成される。
【００５１】
第一のシート部材１の方形状の第一のシート体２と第二のシート部材２１の方形状の第二のシート体２２とを、図５図示のように、重ね合わせて、例えば、両者を接着して、包装用袋の底部を形成する。
【００５２】
なお、図２図示のように、第２のシート部材２１が底部補強シート体２４ａ、２４ｂを備えている形態にし、底部補強シート体２４ａ、２４ｂを第１のシート部材１の胴部シート体５ａ、５ｂにそれぞれ重ねて貼付けて補強することができる。
【００５３】
第一のシート部材１のそれぞれの台形状の胴部シート体５ａ、５ｂをその下底辺３ａ、３ｂを折線部として折曲て起立させ、図３図示のように、底部を挟んで互いに対向する台形状胴部シート体５ａからなる正面胴部と台形状胴部シート体５ｂからなる背面胴部とを形成する。
【００５４】
また、第一の係止片部９ａ、９ｂ、１１ａ、１１ｂを第一の折れ線部８ａ、８ｂ、１０ａ、１０ｂで、前記の対向する正面胴部と背面胴部とによって囲まれる内部空間領域の側に向けて（即ち、図３中、矢印５０ａ方向へ）折り曲げる。
【００５５】
更に、補強シート体６ａ、６ｂをその上底辺４ａ、４ｂを折線部として前記の内部空間領域の側に向けて（即ち、図３中、矢印５０ｂ方向へ）折り曲げ、前記折り曲げられている第一の係止片部８ａ、８ｂ、１０ａ、１０ｂを挟んで前記の正面胴部又は前記の背面胴部にそれぞれ重ねる。
【００５６】
また、図４図示のように、第２のシート部材２１の側面胴部シート体３６ａ、３６ｂをそれぞれの前記の基端にあたる一辺２５ａ、２５ｂを折線部として前記の内部空間領域の側に向けて（即ち、図４中、矢印５０ｃ方向へ）起立させて底部を挟んで互いに対向する側面胴部シート体３６ａからなる左側面胴部と側面胴部シート体３６ｂからなる右側面胴部とを形成する。
【００５７】
なお、図２図示のように、第二のシート部材２１において、辺２５ａ、２５ｂから延びる側面胴部シート体３６ａ、３６ｂの先端側には、辺２５ａ、２５ｂに平行な折曲線部２７ａ、２７ｂを介して補強用折り曲げ片部２８ａ、２８ｂが備えられている。この補強用折り曲げ片部２８ａ、２８ｂは、折曲線部２７ａ、２７ｂの位置で前記内部空間領域の側に向けて折り曲げられ、図４図示のような位置に配置されることになり、側面胴部シート体３６ａ、３６ｂによって形成される左側面胴部と右側面胴部とをそれぞれ上側において補強する。
【００５８】
更に、第二のシート部材２１のスライド片部４０ａ、４０ｂ、４１ａ、４１ｂを第二の折り線部３７ａ、３７ｂ、３８ａ、３８ｂを介して前記の内部空間領域の側に向けて（即ち、図４中、矢印５０ｄ方向へ）折り曲げ、第二の係止片部３１ａ、３１ｂ、３２ａ、３２ｂを第三の折り線部２９ａ、２９ｂ、３０ａ、３０ｂを介して前記の内部空間領域と反対の側に向けて（即ち、図４中、矢印５０ｅ方向へ）折り曲げる。
【００５９】
そして、内部に第一の係止片部９ａ、９ｂ、１１ａ、１１ｂが存在するようにして折り畳まれている補強シート体６ａ、６ｂと前記の正面胴部又は前記の背面胴部との間に、スライド片部４０ａ、４０ｂ、４１ａ、４１ｂを挿入すると共に、第一の係止片部係止片部９ａ、９ｂ、１１ａ、１１ｂと第二の係止片部３１ａ、３１ｂ、３２ａ、３２ｂとを係止する。
【００６０】
図６は、この場合の、内部に第一の係止片部１１ｂが存在するようにして折り畳まれる補強シート体６ｂと、背面胴部を形成する台形状の胴部シート体５ｂとの間に、スライド片部４０ｂが挿入され、第一の係止片部１１ｂと第二の係止片部３１ｂとが係止される状態を説明する一部を省略した斜視図である。図６図示では説明をわかりやすくするため、補強シート体６ｂを開いているが、補強シート体６ｂは、この後、折れ線部４ｂを介して矢印５０ｂのように折り曲げられる。
【００６１】
このようにして形成された後、第一のシート部材１の台形状の胴部シート体５ａからなる正面胴部と、台形状の胴部シート体５ｂからなる背面胴部とが、それぞれの下底辺３ａ、３ｂを中心として、側面胴部シート体３６ａ、３６ｂの第二の折り線部３７ａ、３７ｂ、３８ａ、３８ｂとともに前後方向（図７における矢印８０、８１、８２、８３方向）に回動することにより、第四の折り線部３５ａ、３５ｂが前記の内部空間領域の側に向けて（図７における矢印８４、８５方向に）折り曲がると、側面胴部シート体３６ａ、３６ｂにおける第四の折り線部３５ａ、３５ｂを挟んだ両側が第四の折り線部３５ａ、３５ｂが前記の内部空間領域の側に向けて（図７における矢印８４、８５方向に）折り曲げられる際のひだ部となる。そして、開口部が、図７に矢印７１、７２で示すように、前後方向に狭められて閉鎖される（不図示）。また、第四の折り線部３５ａ、３５ｂが前記の内部空間領域の側に向けて折り曲げられている状態から、図７に矢印８６、８７で示すように、折り曲げられていない状態に復帰すると、開口部が図７に矢印７３、７４で示すように、前後方向に拡げられて図７図示のように開放される。
【００６２】
また、第二のシート部材２１の側面胴部シート体３６ａ、３６ｂが、第二のシート体２２と第一のシート部材１の第一のシート体２とが図５図示のように重ね合わされた際に、第一のシート体２の対向する一組の辺３ａ、３ｂに直交する位置になる第二のシート体２２の対向する一組の辺２５ａ、２５ｂを中心として左右方向に回動することにより、スライド片部４０ａ、４０ｂ、４１ａ、４１ｂが、側面胴部シート体３６ａ、３６ｂと共に第二のシート体２２の対向する一組の辺２５ａ、２５ｂを中心として左右方向に回動する。
【００６３】
これによって、内部に第一の係止片部９ａ、９ｂ、１１ａ、１１ｂが存在するようにして折り畳まれている補強シート体６ａと台形状の胴部シート体５ａからなる正面胴部との間、および、補強シート体６ｂと台形状の胴部シート体５ｂからなる背面胴部との間を、スライド片部４０ａ、４０ｂ、４１ａ、４１ｂが、図７に矢印７５，７６、７７、７８で示すように出没して、底部（例えば、折れ線部３ａ）の左右方向の長さを変えることなく、開口部の左右方向の長さを、底部の左右方向の長さと同一の状態（図７図示）から、当該左右方向の長さが短くなって開口部が左右方向において狭められた状態（図８図示）に変更されること及び、底部（例えば、折れ線部３ａ）の左右方向の長さが、開口部が左右方向において狭められて短くなっている前記の状態（図８図示）から、底部の左右方向の長さと同一の状態（図７図示）に変更される。
【００６４】
図１１は、図７図示の状態における、台形状の胴部シート体５ａからなる正面胴部の図７中、左端部分の状態を説明する図であり、図１０は、図８図示の状態における、台形状の胴部シート体５ａからなる正面胴部の図８中、左端部分の状態を説明する図である。
【００６５】
図７、図１１図示の状態から、第二のシート部材２１の側面胴部シート体３６ａが、第二のシート体２２と第一のシート部材１の第一のシート体２とが図５図示のように重ね合わされた際に、第一のシート体２の対向する一組の辺３ａ、３ｂに直交する位置になる第二のシート体２２の辺２５ａを中心として右方向に（すなわち、図１１中、矢印７９ｂ方向に）回動することにより、スライド片部４０ａが、側面胴部シート体３６ａと共に第二のシート体２２の辺２５ａを中心として右方向に（すなわち、図１１中、矢印７９ｂ方向に）回動する。これによって、内部に第一の係止片部９ｂが存在するようにして折り畳まれている補強シート体６ａと台形状の胴部シート体５ａからなる正面胴部との間を、スライド片部４０ａが、図７に矢印７５（図１１に矢印７９ａ）で示すように没入し、前記底部（折れ線部３ａ）の左右方向の長さを変えることなく、開口部の左右方向の長さを、底部の左右方向の長さと同一の状態（図７図示）から、当該左右方向の長さが短くなって開口部が左右方向において狭められた状態（図８図示）に変更され、図８、図１０図示の状態になる。
【００６６】
また、図８、図１０図示の状態から、第二のシート部材２１の側面胴部シート体３６ａが、第二のシート体２２と第一のシート部材１の第一のシート体２とが図５図示のように重ね合わされた際に、第一のシート体２の対向する一組の辺３ａ、３ｂに直交する位置になる第二のシート体２２の辺２５ａを中心として左方向に（すなわち、図１０中、矢印７９ｃ方向に）回動することにより、スライド片部４０ａが、側面胴部シート体３６ａと共に第二のシート体２２の辺２５ａを中心として左方向に（すなわち、図１０中、矢印７９ｃ方向に）回動する。これによって、内部に第一の係止片部９ｂが存在するようにして折り畳まれている補強シート体６ａと台形状の胴部シート体５ａからなる正面胴部との間を、スライド片部４０ａが、図８に矢印７７（図１０に矢印７９ｄ）で示すように出て、前記底部（折れ線部３ａ）の左右方向の長さを変えることなく、開口部の左右方向の長さを、当該左右方向の長さが短くなって開口部が左右方向において狭められた状態（図８図示）から、底部の左右方向の長さと同一の状態（図７図示）に変更される。
【００６７】
図１１図示のように、第一の係止片部９ｂと第二の係止片部３１ａとが係合することで開口部の左右方向の長さが、開口部が左右方向において狭められた短くなっている状態（図１０）から、底部（折れ線部３ａ）の左右方向の長さと同一の状態（図１１）にまで変更されたときの左右方向の開きが規制され、図７図示の形態になる。
【００６８】
また、図１０図示のように、補強シート体６ａ、６ｂの端部と側面胴部シート体３６ａ、３６ｂからなる左側面胴部及び右側面胴部とが当接することにより、又は、第二のシート部材２１のスライド片部４０ａ、４０ｂ、４１ａ、４１ｂが備えている第二のシート体２２の対向する一組の辺２５ａ、２５ｂのそれぞれの両端の位置からそれぞれ第二のシート体２２の対向する一組の辺２５ａ、２５ｂに対して斜交して、側面胴部シート体３６ａ、３６ｂが延びる方向で、側面胴部シート体３６ａ、３６ｂの両側外方向に延びる辺４０ｃ、４０ｄ、４１ｃ、４１ｄと、第一のシート部材１のそれぞれの台形状の胴部シート体５ａ、５ｂの下底辺３ａ、３ｂとが当接することで、あるいはこれらの双方によって、開口部の左右方向の長さが、底部（折れ線部３ａ）の左右方向の長さと同一の状態（図７、図１１）から、当該左右方向の長さが短くなって開口部が左右方向において狭められた状態（図８、図１０）に変更されるときの開口部の左右方向の閉じが規制される。
【００６９】
なお本実施形態の包装用袋は、提げ紐がなくても開口部の広狭ができるものであるが、提げ紐を付けて使用することもできる。
【００７０】
また本実施形態では提げ紐を使用する場合も考えて胴部シート体５ａ、５ｂ及び補強シート体６ａ、６ｂにそれぞれ２個の孔（１４ａ、１４ｂ、１６ａ、１６ｂ、１３ａ、１３ｂ、１５ａ、１５ｂ）が設けられているが、提げ紐を使用する必要のない場合は孔を設けることを要しない。
【００７１】
図９（ａ）は、提げ紐を付けた他の実施形態を示す斜視図である。
【００７２】
提げ紐６１は背面胴部（胴部シート体５ｂ）に設けられた孔（１６ａ、１６ｂ）と補強シート体６ｂに設けられた孔（１５ａ、１５ｂ）を挿通するとともに、一端部を左側面胴部３６ａに設けた孔６３を挿通して結び目により係止され、他端部を右側面胴部（シート部３６ｂ）に設けた孔６４に挿通して結び目により係止される。また提げ紐６２は正面胴部（胴部シート体５ａ）に設けられた孔（１４ａ、１４ｂ）と補強シート体６ａに設けられた孔（１３ａ、１３ｂ）を挿通するとともに、一端部を左側面胴部（シート部３６ａ）に設けた孔６５を挿通して結び目により係止され、他端部を右側面胴部（シート部３６ｂ）に設けた孔６６に挿通して結び目により係止される。
【００７３】
このように提げ紐６１及び６２を設けると共に、端部を左右側面胴部に設けた孔に挿通して結び目で係止したので、提げ紐６１及び６２をひくことで開口部の左右方向の閉じができる。なお結び目による係止は補強シート体６ａ、６ｂと係止する位置にも設けると、左右側面胴部にかかる負荷を低減できる。
【００７４】
また、図９（ｂ）は図９（ａ）の背面図である。長方形の１辺を残し、他の３辺に切り込みを入れ、差込片７０を形成する。すなわち背面胴部（シート体５ｂ）の開口部側端部に設けた一辺を残し、他の３辺が切り込まれて形成された差込片７０は、正面胴部側（シート体５ａ）側に折曲げられ、正面胴部側（シート体５ａ）側に設けた横一文字型の切り口７１に差し込まれることで、開口部の閉止具とすることができる。
【００７５】
なお開口部の閉止具は、これに限定するものでなく、別途ボタン式のものその他の閉止具を開口部に設けたりしてもよい。
【図面の簡単な説明】
【００７６】
【図１】本発明の実施形態に係る包装用袋の構成部材の一つである第一のシート部材の展開図
【図２】同じく第二のシート部材の展開図
【図３】第一のシート部材の折曲げ途中を示す斜視図
【図４】第二のシート部材の折曲げ途中を示す斜視図
【図５】第一のシート部材と第二のシート部材とにより本実施形態に係る包装用袋を組立てる途中の斜視図
【図６】第一の係止部と第二の係止部との係合状態を説明する一部を省略した拡大斜視図
【図７】本発明の実施形態に係る包装用袋において、開口部の左右方向長さが、底部の左右方向長さと同じ場合の開口部が開口している状態を説明する斜視図
【図８】図７図示の状態から、開口部の左右方向長さが、底部の左右方向長さより小さく（短く）なったときの開口部が開口している状態を説明する斜視図
【図９】（ａ）他の実施形態に係る包装用袋の斜視図、（ｂ）その背面図
【図１０】図８図示の状態における台形状の胴部シート体からなる正面胴部の図８中、左端部分の状態を説明する図
【図１１】図７図示の状態における台形状の胴部シート体からなる正面胴部の図７中、左端部分の状態を説明する図
【符号の説明】
【００７７】
１  第一のシート部材
２  方形状の第一のシート体
３ａ、３ｂ  第一のシート体の対向する一組の辺（下底辺）
４ａ、４ｂ  上底辺
５ａ、５ｂ  一対の台形状の胴部シート体
７ａ、７ｂ  下底辺
６ａ、６ｂ  補強シート体
８ａ、８ｂ、１０ａ、１０ｂ  第一の折れ線部
９ａ、９ｂ、１１ａ、１１ｂ  第一の係止片部
２１  第二のシート部材
２２  方形状の第二のシート体
２５ａ、２５ｂ  第二のシート体の対向する一組の辺
３６ａ、３６ｂ  側面胴部シート体
３７ａ、３７ｂ、３８ａ、３８ｂ  第二の折り線部
４０ａ、４０ｂ、４１ａ、４１ｂ  スライド片部
４０ｃ、４０ｄ、４１ｃ、４１ｄ  辺
２９ａ、２９ｂ、３０ａ、３０ｂ  第三の折れ線部
３１ａ、３１ｂ、３２ａ、３２ｂ  第二の係止片部
３５ａ、３５ｂ  第四の折り線部
６１、６２  提げ紐
１３ａ、１３ｂ、１４ａ、１４ｂ、１５ａ、１５ｂ、１６ａ、１６ｂ  孔
６３、６４、６５、６６  孔
６２  提げ紐
７０  差込片
７１  切り口
【図１】
2006298412.tif 000003
【図２】
2006298412.tif 000004
【図３】
2006298412.tif 000005
【図４】
2006298412.tif 000006
【図５】
2006298412.tif 000007
【図６】
2006298412.tif 000008
【図７】
2006298412.tif 000009
【図８】
2006298412.tif 000010
【図９】
2006298412.tif 000011
【図１０】
2006298412.tif 000012
【図１１】
2006298412.tif 000013